(57)【要約】【課題】  集中監視装置の通常時のデータ伝送性能を損なわずに、火災／停電時に、制御に必要とする端末制御部へ計測データを迅速に伝送する。【解決手段】  端末装置６から集中監視装置の主制御部１へ主制御部１の火災判断ポイント記憶部に記憶されたポイントから状態変化（オフからオン）が送信されたとき、主制御部１のモード切替手段は演算装置３に対し火災モード切替通知を送信する。通知を受けた演算装置は内蔵している参照指定テーブル選択手段によって火災時参照指定テーブルを選択し、取得した計測点情報をこのテーブルにより参照ありと指定された計測データのみを端末制御部４に送信する。【選択図】        図１
2007080115.tif 000002
【特許請求の範囲】
【請求項１】
計測センサにより計測された計測点の計測値に基づく計測データにより端末装置を集中制御する集中制御装置におけるデータ伝送システムにおいて、
前記端末装置の設置周辺または部位の異常状態を観測するための観測点を記憶している判断ポイント記憶部と、
前記各計測点の計測値を含む計測データに対する参照の有無を前記端末装置の設置周辺または部位の状態毎に記憶している参照指定テーブルと、
前記各計測データの送信先を記憶している送信制御テーブルと、
前記端末装置から前記異常状態の通知があると、その観測点が前記判断ポイント記憶部に記憶されている観測点と一致するかを調べ、その結果により前記状態に対応するモードを切り替えるモード切替手段と、
前記モードにより前記参照指定テーブルのいずれかを選択する参照指定テーブル選択手段を有し、前記選択された参照指定テーブルにおいて参照有りの計測データを前記送信制御テーブルにより送信することを特徴とするデータ伝送システム。
【請求項２】
計測センサにより計測された計測点の計測値に基づく計測データにより端末装置を集中制御する集中制御装置におけるデータ伝送システムにおいて、
前記端末装置の設置周辺または部位の火災を観測するための観測点を記憶している火災判断ポイント記憶部と、
前記端末装置の設置周辺または部位の停電を観測するための観測点を記している停電判断ポイント記憶部と、
前記端末装置の設置周辺または部位の状態が正常な場合における前記各計測点の計測値を含む計測データに対する参照の有無を記憶している参照指定テーブルと、
前記端末装置の設置周辺または部位に火災が発生した場合における前記各計測点の計測値を含む計測データに対する参照の有無を記憶している火災時参照指定テーブルと、
前記端末装置の設置周辺または部位に停電が発生した場合における前記各計測点の計測値を含む計測データに対する参照の有無を記憶している停電時参照指定テーブルと、
前記各計測データの送信先を記憶している送信制御テーブルと、
前記端末装置から前記火災または停電の通知があると、その観測点が前記火災判断ポイント記憶部または停電判断ポイント記憶部に記憶されている観測点と一致するかを調べ、その結果により火災モードまたは停電モードを切り替えるモード切替手段と、
前記火災モードまたは停電モードにより前記火災時参照指定テーブルまたは前記停電時参照指定テーブルのいずれかを選択する参照指定テーブル選択手段を有し、前記選択された参照指定テーブルにおいて参照有りの計測データを前記送信制御テーブルにより送信することを特徴とするデータ伝送システム。
【請求項３】
計測センサにより計測された計測点の計測値に基づく計測データにより端末装置を集中制御する集中制御装置におけるデータ伝送システムにおいて、
昼間開始時刻にオンし昼間終了時刻にオフするスケジュールで動作する前記端末装置の設置周辺または部位の観測点を記憶している昼間判断ポイント記憶部と、
夜間開始時刻にオンし夜間終了時刻にオフするスケジュールで動作する前記端末装置の設置周辺または部位の観測点を記憶している夜間判断ポイント記憶部と、
昼夜における前記各計測点の計測値を含む計測データに対する参照の有無を記憶している通常参照指定テーブルと、
昼間における前記各計測点の計測値を含む計測データに対する参照の有無を記憶している昼間参照指定テーブルと、
夜間における前記各計測点の計測値を含む計測データに対する参照の有無を記憶している夜間参照指定テーブルと、
前記各計測データの送信先を記憶している送信制御テーブルと、
前記端末装置から前記昼間開始または夜間開始の通知があると、その観測点が前記昼間判断ポイント記憶部または夜間判断ポイント記憶部に記憶されている観測点と一致するかを調べ、その結果により昼間モードまたは夜間モードを切り替えるモード切替手段と、
前記昼間モードまたは夜間モードにより前記昼間参照指定テーブルまたは前記夜間参照指定テーブルのいずれかを選択する参照指定テーブル選択手段を有し、前記選択された参照指定テーブルにおいて参照有りの計測データを前記送信制御テーブルにより送信することを特徴とするデータ伝送システム。
【発明の詳細な説明】
【技術分野】
【０００１】
本発明は、データ伝送システム、特に、ビルや工場内に設置された電力設備，照明設備，空調換気設備等の端末装置を、計測センサにより計測された計測値を基に、データウェイを介して端末装置を集中制御する集中制御装置におけるデータ伝送システムに関する。
【背景技術】
【０００２】
従来、この種のデータ伝送システムは、親機から端末器へ順次１つづつ循環的に送信データの有無を確認（ポーリング）し、一回のポーリングから次回のポーリングまでの時間間隔による制御遅延を、集中制御方式に不慣れなユーザが不満に感じるという欠点を解消するようにしている（例えば、特許文献１参照）。
【０００３】
より詳しくは、親機は、所定の端末器を選択するためのアドレスデータと、呼び出された端末器の制御データを含む信号を送出するようにしてあり、これを各アドレス毎に次々とサイクリックに繰り返し送出する。また、各端末器は、受信したデータ内のアドレスデータの内容から自己の呼出しか否かを判断し、自己の呼出しと判断されたとき、制御データにより被制御負荷をオン、オフ制御する。また、端末器に対応する操作スイッチを備えている壁スイッチも、親機からのデータを受信したらアドレスデータにより自己の呼出しを検出し、操作スイッチの操作状態を送信する。これを受信した親機は、各スイッチ操作が行われる毎に、対応する端末器に対し制御データを含むデータを送出する。
【０００４】
親機は、通常サイクルでは、現在接続されている全ての端末器のアドレスを記憶している通常アドレス記憶部を順次アクセスして全ての端末器を均等にポーリングするが、優先サイクルでは、通常の端末器よりも高頻度でポーリングされるべき端末器のアドレスを記憶している優先端末テーブルを順次アクセスしてこのアドレスをもつ端末器だけがポーリングされるようになっている。
【０００５】
選択データ記憶部には、次のサイクルが通常サイクルか優先サイクルかを選択するためのデータが記憶されており、例えば９回の優先サイクルと１回の通常サイクルを交互に繰り返すというように次のサイクルが選択される。受信データ記憶部には一定期間内の各端末からの受信回数を記憶させ、このうち受信頻度の高いものを選んで優先テーブルに登録させるようになっている。また、負荷や検知器の種類により使用頻度は低くても優先順位を高くしたい場合は、キー入力によって強制的に優先端末テーブルに登録し、受信頻度が低くても優先端末テーブルから削除されないように保護しておく。
【０００６】
なお、停電時においては、自家発運転となるので、停電時に必要な端末器のアドレスのみを記憶した停電時端末テーブルを設けておき、優先端末テーブルと同様な方法で間引き運転を行うようにしている。
【０００７】
【特許文献１】特開昭５６−１３９０４３号公報（第１頁、図４）
【発明の開示】
【発明が解決しようとする課題】
【０００８】
しかしながら上述した従来技術では、優先サイクルと通常サイクルの組み合わせが予め決定されているため、例えば火災時または停電時でない正常な場合であっても、優先サイクルが頻繁に繰り返され、通常サイクルのみに設定されている端末装置へのデータ伝送頻度が低下するので、同装置をトリガとしている制御の動作が遅延するという第１の問題点がある。
【０００９】
また、通常サイクル内のアドレス（通常アドレス）の受信頻度が上限設定値を超すと優先登録要求を出して、そのアドレスがプログラムにより自動で優先サイクルに追加されるため、故障等で異常な状態の変化を頻繁に送信してくる端末装置のアドレスまでが優先サイクルに追加されてしまいデータ伝送路のトラフィック量の増加を引き起こすという第２の問題点もある。
【００１０】
そこで、本発明の目的は、通常時のデータ伝送性能は損なわずに、火災／停電時に、制御のため特に必要とする各端末制御部へ計測データを迅速に伝送し、情報伝送時間遅延による端末制御部の制御遅延を最小限にするデータ伝送システムを提供することにある。
【課題を解決するための手段】
【００１１】
本発明のデータ伝送システムは、計測センサにより計測された計測点の計測値に基づく計測データにより端末装置を集中制御する集中制御装置におけるデータ伝送システムにおいて、端末装置の設置周辺または部位の異常状態を観測するための観測点を記憶している判断ポイント記憶部と、各計測点の計測値を含む計測データに対する参照の有無を端末装置の設置周辺または部位の状態毎に記憶している参照指定テーブルと、各計測データの送信先を記憶している送信制御テーブルと、端末装置から異常状態の通知があると、その観測点が判断ポイント記憶部に記憶されている観測点と一致するかを調べ、その結果により上記状態に対応するモードを切り替えるモード切替手段と、モードにより参照指定テーブルのいずれかを選択する参照指定テーブル選択手段を有し、選択された参照指定テーブルにおいて参照有りの計測データを送信制御テーブルにより送信することを特徴とする。
【００１２】
より詳しくは、本発明のデータ伝送システムは、計測センサにより計測された計測点の計測値に基づく計測データにより端末装置（図１の6-1，6-2，6-3）を集中制御する集中制御装置におけるデータ伝送システムにおいて、端末装置の設置周辺または部位の火災を観測するための観測点を記憶している火災判断ポイント記憶部（図２の11）と、端末装置の設置周辺または部位の停電を観測するための観測点を記している停電判断ポイント記憶部（図２の12）と、端末装置の設置周辺または部位の状態が正常な場合における各計測点の計測値を含む計測データに対する参照の有無を記憶している参照指定テーブル（図５の31）と、端末装置の設置周辺または部位に火災が発生した場合における各計測点の計測値を含む計測データに対する参照の有無を記憶している火災時参照指定テーブル（図５の32）と、端末装置の設置周辺または部位に停電が発生した場合における各計測点の計測値を含む計測データに対する参照の有無を記憶している停電時参照指定テーブル（図５の33）と、各計測データの送信先を記憶している送信制御テーブル（図３の21）と、端末装置から火災または停電の通知があると、その観測点が火災判断ポイント記憶部または停電判断ポイント記憶部に記憶されている観測点と一致するかを調べ、その結果により火災モードまたは停電モードを切り替えるモード切替手段（図２の15）と、火災モードまたは停電モードにより火災時参照指定テーブルまたは停電時参照指定テーブルのいずれかを選択する参照指定テーブル選択手段（図５の36）を有し、選択された参照指定テーブルにおいて参照有りの計測データを送信制御テーブルにより送信することを特徴とする。
【００１３】
また、本発明の他のデータ伝送システムは、計測センサにより計測された計測点の計測値に基づく計測データによりデータ端末装置を集中制御する集中制御装置におけるデータ伝送システムにおいて、昼間開始時刻にオンし昼間終了時刻にオフするスケジュールで動作する端末装置の設置周辺または部位の観測点を記憶している昼間判断ポイント記憶部（図７の41）と、夜間開始時刻にオンし夜間終了時刻にオフするスケジュールで動作する端末装置の設置周辺または部位の観測点を記憶している夜間判断ポイント記憶部（図７の42）と、昼間における各計測点の計測値を含む計測データに対する参照の有無を記憶している昼間参照指定テーブル（図８の51）と、夜間における各計測点の計測値を含む計測データに対する参照の有無を記憶している夜間参照指定テーブル（図８の52）と、昼夜における各計測点の計測値を含む計測データに対する参照の有無を記憶している通常参照指定テーブル（図８の53）と、各計測データの送信先を記憶している送信制御テーブル（図３の21）と、端末装置から昼間開始または夜間開始の通知があると、その観測点が昼間判断ポイント記憶部または夜間判断ポイント記憶部に記憶されている観測点と一致するかを調べ、その結果により昼間モードまたは夜間モードを切り替えるモード切替手段（図７の45）と、昼間モードまたは夜間モードにより昼間参照指定テーブルまたは夜間参照指定テーブルのいずれかを選択する参照指定テーブル選択手段（図８の55）を有し、選択された参照指定テーブルにおいて参照有りの計測データを送信制御テーブルにより送信することを特徴とする。
【発明の効果】
【００１４】
本発明の第１の効果は、通常時のデータ伝送性能を損なわずに、火災，停電等の非常時に、制御のため特に必要とする各端末制御部へ計測データを迅速に伝送し、情報伝送時間遅延による端末制御部の制御遅延を最小限にできることにある。その理由は、非常時には、データ伝送路へ送信する計測データを優先する計測データだけに絞って送信することができるためである。
【００１５】
また、第２の効果は、通常モード時には、データ伝送路に流す計測データを制限しないようにすることができることにある。その理由は、緊急と判断するためのトリガポイントからの状変を主制御部が受信して初めて、モード切替による計測データの送信制御が実行されるためである。
【００１６】
更に、第３の効果は、主制御部のスケジュール制御の負荷が軽減することにある。その理由は、主制御部でトリガとなる１ポイントのスケジュール動作の制御を行うだけで、モード切替による計測データの送信／不送信により、結果的に計測データにより動作する端末装置がスケジュール制御されることになるためである。
【発明を実施するための最良の形態】
【００１７】
本発明のデータ伝送システムは、計測センサにより計測された計測点の計測値に基づく計測データにより端末装置を集中制御する集中制御装置におけるデータ伝送システムに関する。そのために、端末装置の設置周辺または部位の異常状態を観測するための観測点を記憶している判断ポイント記憶部と、各計測点の計測値を含む計測データに対する参照の有無を端末装置の設置周辺または部位の状態毎に記憶している参照指定テーブルと、各計測データの送信先を記憶している送信制御テーブルを備えている。
【００１８】
そして、端末装置から異常状態の通知があると、その観測点が判断ポイント記憶部に記憶されている観測点と一致するかを調べ、その結果により上記状態に対応するモードを切り替えるモード切替手段と、モードにより参照指定テーブルのいずれかを選択する参照指定テーブル選択手段を設け、選択された参照指定テーブルにおいて参照有りの計測データを送信制御テーブルにより送信する。以下、本発明の実施例について図面を参照して詳細に説明する
【実施例１】
【００１９】
[構成の説明]
図１は本発明のデータ伝送システムの一実施例を示すブロック図である。このデータ伝送システムは、一般的な機能として、主制御部１からの制御データにより、端末装置6-1，6-2，6-3を制御すると共に、端末装置6-1，6-2，6-3からの情報を主制御部１のユーザインタフェース部を介してユーザに表示する。
【００２０】
また、このデータ伝送システムは、計測センサ５からの計測値に基づく計測データにより端末装置6-1，6-2，6-3を制御する。更に、端末装置6-1，6-2，6-3における火災発生，停電等状態の変化があると、計測データの供給先となる端末装置6-1，6-2，6-3を絞る。これによって、通常時には計測データのデータ伝送性能は損なわず、かつ火災発生，停電等非常時には特に必要とする端末制御部へ計測データを迅速に伝送する。
【００２１】
端末装置6-1，6-2，6-3は、電力設備，照明設備，空調換気設備等であって、火災発生，停電等状態の変化を検出するための観測点（以下、「ポイント」と記す）を有する。ポイントにおける状態の変化は、状変情報として端末制御部と中継器を経由して主制御部１へ報告される。
【００２２】
このデータ伝送システムは、主制御部１、２つの中継器2-1，2-2、演算装置３、３つの端末制御部4-1，4-2，4-3、計測センサ５および３つの端末装置6-1，6-2，6-3とで構成されている。主制御部１と中継器2-1，2-2の間はデータ伝送路７、中継器2-1と演算装置３，端末制御部4-1の間はデータ伝送路8-1、中継器2-2と端末制御部4-2，4-3の間はデータ伝送路8-2でそれぞれ接続されている。
【００２３】
主制御部１は、端末装置6-1，6-2，6-3からの受信データ等を基にプログラム制御により動作し、端末装置6-1，6-2，6-3と演算装置３を集中制御する。また、主制御部１は、ユーザインタフェースを有する。
【００２４】
中継器2-1は、主制御部１と演算装置３，端末制御部4-1との間のデータ伝送を中継し、演算装置３から計測データを受信すると、内部の参照指定テーブルを基に中継器2-2または端末制御部4-3へ送信する。中継器2-2は、主制御部１と端末制御部4-2，4-3との間のデータ伝送を中継し、中継器2-1から計測データを受信すると、内部の参照指定テーブルを基に端末制御部4-2，4-3へ送信する。端末制御部4-1，4-2，4-3は、受信した主制御部１からの制御データや計測データにより、それぞれ端末装置6-1，6-2，6-3を制御する。
【００２５】
演算装置３は、計測センサ５から受信した計測値に基づき、内部の参照指定テーブル，火災時参照指定テーブルまたは停電時参照指定テーブルを参照して計測データを生成し中継器2-1へ送信する。いずれのテーブルを参照するかは主制御部１の制御によって定まる。なお、計測データとは、計測点を示す情報（計測点情報という）と、参照指定ありの情報と、計測値とを含むデータを意味する。
【００２６】
計測センサ５は、端末装置6-1，6-2，6-3の制御に必要とされる計測点ａ，ｂ，ｃ，ｄにおける計測値を採取する。計測点ａ，ｂ，ｃ，ｄは、端末装置6-1，6-2，6-3の周辺や部位に設けられ、計測対象は例えば負荷電力，照度，温度等である。
【００２７】
図２は主制御部１の詳細を示すブロック図である。主制御部１は、判断ポイント記憶部10と現在モード記憶部13とデータ処理部14とデータ送受信部17と入出力部18とを含む。判断ポイント記憶部10は火災判断ポイント記憶部11と停電判断ポイント記憶部12を備えており、データ処理部14はモード切替手段15と判断ポイント入力手段16とを備えている。
【００２８】
入出力部18はユーザインタフェース部である。すなわち、主制御部１は、ユーザが入出力部18から入力した演算装置３，端末制御部4-1に対する制御データを伝送路７，中継器2-1および伝送路8-1を介して送信し、計測センサ５，端末装置6-1を制御させる。また、端末制御部4-2，4-3に対する制御データを伝送路７，中継器2-2および伝送路8-2を介して送信し、端末装置6-2，6-3を制御させる。
【００２９】
一方、この逆のルートにより、計測センサ５，端末装置6-1，6-2，6-3からの情報を収集して、入出力部18を介してユーザに対して、この情報を表示する機能を有している。
【００３０】
データ送受信部17は伝送路７に繋がっており、中継器2-1または中継器２-２との間でデータを送受信する。
【００３１】
火災判断ポイント記憶部11は、ユーザが入出力部18から判断ポイント入力手段16を介して予め入力する火災発生トリガとなるポイントを記憶している。同様に、停電判断ポイント記憶部12は、ユーザが入出力部18から判断ポイント入力手段16を介して予め入力する停電発生トリガとなるポイントを記憶している。現在モード記憶部13は、現在の動作モードが通常，火災発生，停電のいずれであるかを記憶している。
【００３２】
モード切替手段15は、データ送受信部17が受信した状変情報中のポイントと、火災判断ポイント記憶部11および停電判断ポイント記憶部12が記憶しているポイントとを比較し、一致した場合は、データ送受信部17から演算装置３へ一致したモードへのモード切替指示を通知する。
【００３３】
中継器2-1と2-2は同構成であって、図３に示すように、送信制御テーブル21とデータ送受信部22とを備えている。送信制御テーブル21は計測点情報毎にその送信先を記憶している。データ送受信部22は受信した計測データ中の計測点情報に対応する送信先を送信制御テーブル21から取得して、受信した計測データを送信する。
【００３４】
図４は送信制御テーブル21の記憶内容を例示する。図４（Ａ）は中継器2-1、図４（Ｂ）は中継器2-2における送信制御テーブル21の記憶内容を示している。図４（Ａ）を参照すると、中継器2-1は計測点情報ａ，ｂ対応の計測データを中継器2-1へ送信し、計測点情報ｃ対応の計測データは端末制御部4-1へ送信し、計測点情報ｄ対応の計測データは何処へも送信しないことを示している。また、図４（Ｂ）を参照すると、中継器2-2は計測点情報ａ，ｂ対応の計測データをそれぞれ端末制御部4-2，4-3へ送信し、計測点情報ｃ，ｄ対応の計測データは何処へも送信しないことを示している。
【００３５】
図５は演算装置３の詳細を示すブロック図である。図５を参照すると、演算装置３は、参照指定テーブル記憶部30とデータ処理部35とデータ送受信部37とを含む。データ送受信部37は中継器2-1との間でデータの送受信を行い、データ処理部35は計測データの生成や参照指定テーブル記憶部30の参照を行う。参照指定テーブル記憶部30は、データ処理部35が参照すべきテーブルとして、参照指定テーブル31と火災時参照指定テーブル32と停電時参照指定テーブル33と火災／停電時参照指定テーブル34を記憶している。
【００３６】
図６は参照指定テーブル31，火災時参照指定テーブル32，停電時参照指定テーブル33および火災／停電時参照指定テーブル34の記憶内容を例示する。図６（Ａ）は参照指定テーブル31、図６（Ｂ）は火災時参照指定テーブル32、図６（Ｃ）は停電時参照指定テーブル33図６（Ｄ）は火災／停電時参照指定テーブル34の各記憶内容を示している。これら各テーブルにおける参照指定とは、その計測点に対する計測データの中継器2-1による参照の有無を示す。
【００３７】
データ処理部35は参照指定テーブル選択手段36を備えている。参照指定テーブル選択手段36は、参照指定テーブル記憶部30内の参照指定テーブル31，火災時参照指定テーブル32，停電時参照指定テーブル33，火災／停電時参照指定テーブル34の内の該当するモードのテーブルから、データ送受信部37が取得したデータ中の計測データにより、中継器2-1への送信の有無を検索する。データ送受信部37は、これらのテーブルにおいて参照「あり」とされている計測点情報に対応する計測データのみを中継器2-1へ送信する。
[動作の説明]
次に、以上のように構成されている本実施例の計測データの端末装置への伝送動作について説明する。当初の現在モードは通常とし、主制御部１の現在モード記憶部13に記憶される共に、演算装置３へ通知されている。
【００３８】
計測センサ５は計測点ａ，ｂ，ｃ，ｄの計測値を一定の周期で取得し、演算装置３のデータ処理部35は計測値に基づき計測データを生成する。そして、図６（Ａ）の参照指定テーブル31により、計測点ａ，ｂ，ｃ，ｄの参照指定有無を調べる。その結果、参照指定ありの計測点ａ、ｂ、ｃの計測点情報と、参照指定ありの情報と、計測値とを含むデータ（計測データ）を中継器2-1へ送信する。
【００３９】
計測データを受信した中継器2-1は、参照指定ありの計測データの送信先を図４（Ａ）の送信制御テーブルにより調べ、中継器2-2へ計測点ａ，ｂ、端末制御部4-1へ計測点ｃそれぞれの計測データを送信する。
【００４０】
データを受信した端末制御部4-1は、計測データ中の計測値により端末機6-1の制御を行う。また、データを受信した中継器2-2は、参照指定ありの計測点情報の送信先を図４（Ｂ）の送信制御テーブルにより調べ、端末制御部4-2へ計測点ａ、端末制御部4-3へ計測点ｂそれぞれの計測データを送信する。
【００４１】
計測データを受信した端末制御部4-2は、当該計測データ中の計測値により端末機6-2の制御を行い、計測データを受信した端末制御部4-3は、当該計測データ中の計測値により端末機6-3の制御を行う。
【００４２】
さて、主制御部１において、状態変化（オフからオン）を告げる状変情報が送信されてきたとき、主制御部１のモード切替手段15は、データ送受信部17から取得したデータ中のポイントと火災判断ポイント記憶部11に記憶されているポイントとを比較する。その結果、ポイントが一致した場合は、モード切替手段15は計測値の送信モードを火災モードに切り替えて現在モード記憶部13に記憶し、演算装置３に火災モード切替指示を通知する。火災モード切替指示を受信した演算装置３の参照指定テーブル選択手段36は、図６（Ａ）の参照指定テーブル31を図６（Ｂ）の火災時参照指定テーブル32に変更する。
【００４３】
火災モードモードへの変更後は、演算装置３は計測点の参照指定有無を図６（Ｂ）の火災時参照指定テーブル32により調べ、参照指定ありの計測点に対応する計測データを中継器2-1に送信する。このとき、通常モード時と火災モード時とでは参照指定ありの計測点数が、図６（Ａ）の参照指定テーブル31と図６（Ｂ）の火災時参照指定テーブル32とを比較して明らかなように、火災モード時の方が１つ少ない２個となっている。このため、火災時には、より重要性の高い計測データのみを送信することができる。
【００４４】
一方、状変情報が火災判断ポイント記憶部11に記憶されているポイントとの比較の結果、ポイントが一致しなければ、データ送受信部17から取得したデータ中のポイントと停電判断ポイント記憶部12に記憶されているポイントと比較する。その結果、ポイントが一致した場合は、モード切替手段15は計測値の送信モードを停電モードに切り替えて現在モード記憶部13に記憶し、演算装置３に停電モード切替指示を通知する。停電モード切替指示を受信した演算装置３の参照指定テーブル選択手段36は、図６（Ａ）の参照指定テーブル31を図６（Ｃ）の停電時参照指定テーブル33に変更する。
【００４５】
停電モードへの変更後は、演算装置３は計測点の参照指定有無を図６（Ｃ）の停電時参照指定テーブル33により調べ、参照指定ありの計測点に対応する計測データを中継器2-1に送信する。このとき、通常モード時と停電モード時とでは参照指定ありの計測点数が、図６（Ａ）の参照指定テーブル31と図６（Ｃ）の停電時参照指定テーブル33とを比較して明らかなように、停電モード時の方が少ない１個となっている。このため、停電時には、より重要性の高い計測データのみを送信することができる。
【００４６】
また、停電モード時に、主制御部１がデータ送受信部17から取得したデータ中のポイントが、火災判断ポイント記憶部11に記憶しているポイントと一致した場合、モード切替手段15は計測値の送信モードを火災／停電モードに切り替えて現在モード記憶部13に記憶し、演算装置３に火災／停電モード切替指示を通知する。火災／停電モード切替指示を受信した演算装置３の参照指定テーブル選択手段36は、図６（Ｃ）の停電時参照指定テーブル33を図６（Ｄ）の火災／停電時参照指定テーブル34に変更する。
【００４７】
火災／停電モードへの変更後は、演算装置３は計測点の参照指定有無を図６（Ｄ）の火災／停電時参照指定テーブル34により調べ、参照指定ありの計測点に対応する計測データを中継器2-1に送信する。このとき、通常モード時と停電モード時とでは参照指定ありの計測点数が、図６（Ａ）の参照指定テーブル31と図６（Ｃ）の停電時参照指定テーブル33とを比較して明らかなように、停電モード時の方が１つ少ない０個となっている。このため、停電時には、より重要性の高い計測データのみを送信することができる。
【００４８】
火災モードから通常モードへの切替は主制御部１が火災報知器ポイントの状態変化（オンからオフ）を受信したとき、また停電モードから通常モードへの切替は主制御部１が停電報知器ポイントの状態変化（オンからオフ）を受信したとき主制御部１が行う。火災／停電モードから、通常モード，火災モード，停電モードへの切替も同様である。
【００４９】
なお、主制御部１において、火災モード，停電モードおよび火災／停電モードへの切替またはその逆方向の切替は、上述のように端末装置6-1，6-2，6-3から状変情報を通知する方法の他に、ユーザが主制御部１の入出力部18からモードを切り替えにことによってもすることができる。
【００５０】
以上説明したように、本実施例では、計測データのデータ伝送において、火災，停電等の非常時に限り、重要性の低い計測点に対応する計測データをデータ伝送路に流さないように構成されているため、通常時のデータ伝送性能を損なわずに、火災／停電等の非常時に、特に制御のため必要とする各端末制御部へのみ計測データを迅速に伝送し、データ伝送時間遅延による端末制御部の制御遅延を最小限にすることができる。
【実施例２】
【００５１】
[構成の説明]
次に、本発明の実施例２について図面を参照して説明する。この実施例が実施例１と異なる点は、実施例１が火災時，停電等の非常時のモード切替に係るものであるのに対し、実施例２は、スケジュール管理によるモード切替であることである。
【００５２】
実施例２のデータ伝送システムの構成は実施例１と同様に図１で表される。ただし、この実施例における主制御部１の詳細は図７で示される。図７を参照すると、主制御部１は判断ポイント記憶部40と現在モード記憶部73とデータ処理部44とデータ送受信部48と入出力部49とを含む。判断ポイント記憶部40は昼間判断ポイント記憶部41と夜間判断ポイント記憶部42を備えており、データ処理部44はモード切替手段45と判断ポイント入力手段46とスケジュール判断手段47を備えている。
【００５３】
現在モード記憶部43，モード切替手段45，判断ポイント入力手段46，データ送受信部48および入出力部49それぞれの機能は、図２に示した実施例１における同名称の各手段と同じである。
【００５４】
昼間判断ポイント記憶部41は、ユーザが入力部49から判断ポイント入力手段46を介して予め入力する、昼間開始時刻にオンし昼間終了時刻にオフするスケジュールで動作するポイントを記憶している。同様に、夜間判断ポイント記憶部42は、ユーザが入出力部49から判断ポイント入力手段46を介して予め入力する、夜間開始時刻にオンし夜間終了時刻にオフするスケジュールで動作するポイントを記憶している。
【００５５】
各判断ポイントの変更は随時可能である。モード切替手段45は、データ送受信部49が受信したデータ中のポイントと、判断ポイント記憶部40の昼間判断ポイント記憶部41および夜間判断ポイント記憶部42が記憶しているポイントとを比較し、一致した場合は、データ送受信部48から演算装置３へ一致したモードへの切替指示を通知する。
【００５６】
また、昼間終了時間のトリガとなるポイントの状態変化（オンからオフ）が送信されてきたときは、モード切替手段45は、データ送受信部79から演算装置３に通常モード切替指示を通知する。スケジュール判断手段47は上記２つの切替指示の内のいずれを通知するかを判断する。
【００５７】
図８は実施例２における演算装置３の詳細を示すブロック図である。図８を参照すると、この演算装置３は、参照指定テーブル記憶部50とデータ処理部84とデータ送受信部56とを含む。データ処理部54，データ送受信部56それぞれの機能は、図５に示した実施例１における同名称の各手段と同じである。
【００５８】
参照指定テーブル記憶部50は、昼間参照指定テーブル51と夜間参照指定テーブル52と通常参照指定テーブル53とを備えている。昼間参照指定テーブルは昼間における各計測点の計測値を含む計測データに対する参照の有無を記憶し、夜間参照指定テーブルは夜間における各計測点の計測値を含む計測データに対する参照の有無を記憶している。また、通常参照指定テーブルは昼夜における各計測点の計測値を含む計測データに対する参照の有無を記憶している。
【００５９】
これらのテーブルは、図９に記憶内容を例示するように、計測点毎に参照の有無を記憶している。図９における参照指定とは、図６におけるのと同じく、その計測点に対する計測データの中継器2-1による参照の有無を示す。
【００６０】
モード切替通知を受信した演算装置３は、データ送受信部56が取得したデータ中の計測データを中継器2-1に送信する際に、参照指定テーブル記憶部50の内の該当モードのテーブルから、計測点毎に計測データの送信の有無を検索して、送信ありの計測点については送信を実行する。
【００６１】
このように、昼間と夜間とでモードを切り替えることを「スケジュール機能」という。昼間開始時刻と夜間開始時刻は季節毎に変化するが、それを端末装置6-1，6-2，6-3から状変情報として主制御部１へ通知することによりスケジュール機能を実行する。
[動作の説明]
いま、昼間だけ使用する空調機と夜間だけ使用する空調機があり、昼間だけ使用する空調機が動作するのに必要な計測点はａ，ｂ、夜間だけ使用する空調機が動作するのに必要な計測点はｃ，ｄであるとする。
【００６２】
この場合、各モード時に演算装置３が使用する参照指定テーブルを図９に示すように設定すると、昼間に作動する空調機は、計測点ａ，ｂの計測値を制御に使用することができ、昼間には必要とされない計測点ｃ、ｄの計測値等の計測データはデータ伝送路に流れない。同様に、夜間に作動する空調機は、計測点ｃ，ｄの計測値を制御に使用することができ、夜間には必要とされない計測点ａ，ｂの計測値等の計測データはデータ伝送路に流れない。更に、通常時は計測点ａ，ｂ，ｃ，ｄの計測値等の計測データはデータ伝送路に流れない。
【００６３】
計測センサ５は計測点ａ，ｂ，ｃ，ｄの計測値を一定の周期で取得し、演算装置３は計測点ａ，ｂ，ｃ，ｄ毎の計測データを生成する。現在モードが通常のとき、取得した計測点の参照指定有無を、図９（Ｃ）の参照指定テーブルにより調べ、参照指定ありの場合は中継器2-1へ計測データを送信する。
【００６４】
データを受信した中継器2-1は、参照指定ありの計測点情報の送信先を図６の送信制御テーブル（Ａ）により調べ、中継器2-2へ計測点ａ，ｂの計測データ、端末制御部4-1へ計測点ｃの計測データをそれぞれ送信する。
【００６５】
また、データを受信した中継器2-2は、参照指定ありの計測データの送信先を図４（Ｂ）の送信制御テーブルにより調べ、各送信先の端末制御部4-2，4-3へ計測データを送信する。データを受信した端末制御部4-2は、データ中の計測値により端末6-2の制御を行う。同様に、データを受信した端末制御部4-3は、データ中の計測値により端末6-3の制御を行う。
【００６６】
主制御部１において、昼間開始時間のトリガとなるポイントの状態変化（オフからオン）が送信されてきたとき、主制御部１のモード切替手段75は、データ送受信部78から取得したデータ中のポイントと昼間判断ポイント記憶部71に記憶されているポイントとを比較し、一致した場合、計測値の送信モードを昼間モードに切り替えるため、演算装置３に昼間モード切替指示を通知する。
【００６７】
昼間モード切替指示を受信した演算装置３は、使用する内部の参照指定テーブルを図９（Ａ）の昼間参照指定テーブル81に変更し、参照指定ありの計測点による計測データを中継器2-1に送信する。
【００６８】
なお、主制御部１において、昼間モード，通常モードまたは夜間モードへの切替、およびその逆の方向への切替は、上述のように端末装置6-1，6-2，6-3から状変情報を通知する方法の他に、ユーザが主制御部１の入出力部79からモードを切り替えることによってもすることができる。
【００６９】
以上説明したように、本実施例では、スケジュール機能を利用して計測データの送信／不送信を決定するように構成されているため、年間を通じて変動する昼間と夜間の時間帯によりデータ伝送路の計測データによる負荷を調節することができる。
【図面の簡単な説明】
【００７０】
【図１】本発明のデータ伝送システムの一実施例を示すブロック図
【図２】図１における主制御部の詳細例を示すブロック図
【図３】図１における中継器の詳細を示すブロック図
【図４】図３における送信制御テーブルの記憶内容例を示す図
【図５】図１における演算装置の詳細例を示すブロック図
【図６】図５における参照指定テーブル記憶部の記憶内容例を示す図
【図７】図１における主制御部の他の詳細例を示すブロック図
【図８】図１における演算装置の他の詳細例を示すブロック図
【図９】図８における参照指定テーブル記憶部の記憶内容例を示す図
【符号の説明】
【００７１】
１                主制御部
2-12-2            中継器
３                演算装置
4-14-2-4-3        端末制御部
５                計測センサ
6-16-26-3         端末装置
７，8-1，8-2      データ伝送路
10，40            判断ポイント記憶部
11                火災判断ポイント記憶部
12                停電判断ポイント記憶部
13，43            現在モード記憶部
14，44            データ処理部
15，45            モード切替手段
16，46            判断ポイント入力手段
17                データ送受信部
18，49            入出力部
21                送信制御テーブル
22，37，48，56    データ送受信部
30，50            参照指定テーブル記憶部
31                参照指定テーブル
32                火災時参照指定テーブル
33                停電時参照指定テーブル
34                火災／停電時参照指定テーブル
35，54            データ処理部
36，55            参照指定テーブル選択手段
41                昼間判断ポイント記憶部
42                夜間判断ポイント記憶部
47                スケジュール判断手段
51                昼間参照指定テーブル
52                夜間参照指定テーブル
53                通常参照指定テーブル
【図１】
2007080115.tif 000003
【図２】
2007080115.tif 000004
【図３】
2007080115.tif 000005
【図４】
2007080115.tif 000006
【図５】
2007080115.tif 000007
【図６】
2007080115.tif 000008
【図７】
2007080115.tif 000009
【図８】
2007080115.tif 000010
【図９】
2007080115.tif 000011